(57)【要約】      （修正有）【課題】内部に構造物を有する機器の外装を構成する外装構造において、外装部材間の隙間が生じることなく組み付けることが可能であって、外観上の見栄えのよい機器の外装構造を提供する。【解決手段】内部に構造物を有する機器であるカメラ１の外装を構成する外装構造として、カメラ本体ユニット２と、カメラ本体ユニット２の一表面である前方上面部３ｈと凹状平面部に載置固定された上メタルカバーユニット５と、カメラ本体ユニット２に載置され、左側面部２ａ、また、右側面部２ｂに向かって当て付けられた左、右メタルカバー１１，１２と、カメラ本体ユニット２の底面部２ｄに載置され、上記左、右メタルカバー１１，１２に向かって当て付けられた下メタルカバー１３とを具備する。【選択図】図３
2010286723.tif 000002
【特許請求の範囲】
【請求項１】
内部に構造物を有する機器の外装を構成する外装構造において、
機器内部本体と、
上記機器内部本体の一表面である第一の表面に載置固定された第一の外装部材と、
上記機器内部本体の上記第一の表面と異なり、上記第一の表面の延長面と交わる第二の表面に載置され、上記第一の外装部材に向かって当て付けられて上記機器内部本体に固定された第二の外装部材と、
上記機器内部本体の上記第一の表面と上記第二の表面と異なり、上記第一の表面とで上記第二の表面を挟んで、上記第一の表面の法線が交わる第三の表面に載置され、上記第二の外装部材に向かって当て付けられて上記機器内部本体に固定された第三の外装部材と、
を具備したことを特徴とした機器の外装構造。
【請求項２】
内部に構造物を有する機器の外装を構成する外装構造において、
機器内部本体と、
上記機器内部本体の上面に載置固定された第一の外装部材と、
上記機器内部本体の側面に載置され、上記第一の外装部材に対して下方から上方に向かって当て付けられて固定された第二の外装部材と、
上記機器内部本体の下面に載置され、上記第二の外装部材に対し下方から上方に向かって当て付けられて固定された第三の外装部材と、
を具備したことを特徴とした機器の外装構造。
【請求項３】
上記機器内部本体の側面は、複数の上記第二の外装部材により覆われていることを特徴とした上記請求項１または２に記載の機器の外装構造。
【請求項４】
上記第二の外装部材は、上記機器内部本体に対して上下方向において隙間を有することを特徴とした上記請求項１乃至３のいずれかに記載の機器の外装構造。
【請求項５】
上記第二の外装部材は、上記機器内部本体とねじ固定されるための締結用穴を有し、該締結用穴は、少なくとも上下方向に該ねじと遊嵌することを特徴とした上記請求項１乃至４のいずれかに記載の機器の外装構造。
【請求項６】
上記第三の外装部材を上記機器内部本体下面に締結するために上記第二の外装部材に突き当てたとき、上記第三の外装部材と上記機器内部本体下面との間に隙間を有し、該締結が終了した後、上記第三の外装部材は、上記機器内部本体下面方向に撓んでいることを特徴とした上記請求項１乃至５のいずれかに記載の機器の外装構造。
【発明の詳細な説明】
【技術分野】
【０００１】
本発明は、内部に構造物を有する機器の外観を構成する外装構造に関する。
【背景技術】
【０００２】
従来、内部に構造物を有する機器、例えば、電子カメラ等の電子機器の外装を構成する外装構造を有するものとして、特許文献１に開示された電子機器としての電子カメラ１００は、図２３の電子カメラ断面図に示すように撮影レンズ１０４，１０６、ミラー１０５、撮像素子１０７等を内蔵する外装として前外装カバー１０１および後外装カバー１０２を備えている。前外装カバー１０１と後外装カバー１０２とは、該外装カバーの外周を囲むＨ型断面の枠状外装部材１０３を挟み込む状態で接合固着される。この電子カメラ１０１の外装構造によれば、前外装カバー１０１と後外装カバー１０２とを容易に接合隙間のない状態で組み付けることができる。
【先行技術文献】
【特許文献】
【０００３】
【特許文献１】特開２００５−３１０９４９公報
【発明の概要】
【発明が解決しようとする課題】
【０００４】
しかし、上述した特許文献１に開示された電子カメラ１０１の外装構造では、必ずしも必要部材ではない枠状外装部材１０３を用いなければならず、部品コスト上は、不利となる。また、枠状外装部材１０３が表面に露出しており、機器外観上、見方によっては好ましいとはいえない。
【０００５】
本発明は、上述の不具合を解決するためになされたものであり、内部に構造物を有する機器の外装を構成する外装構造において、外装部材間の隙間が生じることなく組み付けることが可能であって、外観上の見栄えのよい機器の外装構造を提供することを目的とする。
【課題を解決するための手段】
【０００６】
上記課題を解決するために本発明の機器の外装構造の１つは、内部に構造物を有する機器の外装を構成する外装構造において、カメラ内部本体と、上記カメラ内部本体の一表面である第一の表面に載置固定された第一の外装部材と、上記カメラ内部本体の上記第一の表面と異なり、上記第一の表面の延長面と交わる第二の表面に載置され、上記第一の外装部材に向かって当て付けられて上記カメラ内部本体に固定された第二の外装部材と、上記カメラ内部本体の上記第一の表面と上記第二の表面と異なり、上記第一の表面とで上記第二の表面を挟んで、上記第一の表面の法線が交わる第三の表面に載置され、上記第二の外装部材に向かって当て付けられて上記機器内部本体に固定された第三の外装部材とを具備している。
【０００７】
本発明の機器の外装構造の他の１つは、内部に構造物を有する機器の外装を構成する外装構造において、機器内部本体と、上記機器内部本体の上面に載置固定された第一の外装部材と、上記機器内部本体の側面に載置され、上記第一の外装部材に対して下方から上方に向かって当て付けられて固定された第二の外装部材と、上記機器内部本体の下面に載置され、上記第二の外装部材に対し下方から上方に向かって当て付けられて固定された第三の外装部材とを具備している。
【発明の効果】
【０００８】
本発明によれば、内部に構造物を有する機器の外装を構成する外装構造において、外装部材間の隙間が生じることなく組み付けることが可能であり、外観上の見栄えのよい機器の外装構造を提供することができる。
【図面の簡単な説明】
【０００９】
【図１】本発明の機器の外装構造を適用するカメラの外観を前面側から見た外観斜視図
【図２】図１のカメラの外観を背面側から見た外観斜視図である。
【図３】図１のカメラのカメラ本体ユニットと外装部材との前面側から見た分解斜視図であって、図中、Ｐ1−Ｐ1は、図１のXVII−XVII断面に沿った断面ラインを示し、Ｐ2−Ｐ2は、図１のXVIII−XVIII断面に沿った断面ラインを示し、Ｐ3−Ｐ3は、図１のXVI−XVI断面に沿った断面ラインを示す。
【図４】図１のカメラのカメラ本体ユニットと外装部材との背面側から見た分解斜視図である。
【図５】図１のカメラのカメラ本体ユニットの正面図であって、図中、Ｐ3−Ｐ3は、図１のXVI−XVI断面に沿った断面ライン示す。
【図６】図１のカメラのカメラ本体ユニットの背面図である。
【図７】図１のカメラのカメラ本体ユニットの平面図であって、図中、Ｐ1−Ｐ1は、図１のXVII−XVII断面に沿った断面ラインを示し、Ｐ2−Ｐ2は、図１のXVIII−XVIII断面に沿った断面ラインを示す。
【図８】図１のカメラのカメラ本体ユニットの下面図であって、図中、Ｐ1−Ｐ1は、図１のXVII−XVII断面に沿った断面ラインを示し、Ｐ2−Ｐ2は、図１のXVIII−XVIII断面に沿った断面ラインを示す。
【図９】図１のカメラのカメラ本体ユニットの左側面図である。
【図１０】図１のカメラのカメラ本体ユニットの右側面図である。
【図１１】図１のカメラにおける上メタルカバーユニット装着状態のカメラ本体ユニットと他の外装部材との分解斜視図である。
【図１２】図１１の上メタルカバーユニット装着状態のカメラ本体ユニットの正面図である。
【図１３】図１１の上メタルカバーユニット装着状態のカメラ本体ユニットの背面図である。
【図１４】外装部材である上メタルカバーユニット、後メタルカバー、左右メタルカバー装着状態のカメラ本体ユニットと下メタルカバー（外装部材）との前面側から見た分解斜視図である。
【図１５】外装部材である上メタルカバーユニット、後メタルカバー、左右メタルカバー装着状態のカメラ本体ユニットと下メタルカバー（外装部材）との背面側から見た分解斜視図である。
【図１６】図１のXVI−XVI断面図である。
【図１７】図１のXVII−XVII拡大断面図である。
【図１８】図１のXVIII−XVIII拡大断面図である。
【図１９】従来のカメラの横断面図である。
【発明を実施するための形態】
【００１０】
以下、本発明の一実施の形態である機器の外装構造を適用したカメラについて、図１〜１８を用いて説明する。
【００１１】
本発明の一実施形態の機器の外装構造を適用するカメラ１は、図１〜４に示すように撮像素子等からなる撮像部や電気制御部等の内部構造部材を内部に備えた電子機器であり、該カメラ１の外装構造を構成する部材として、機器内部本体であるカメラ本体ユニット２と、該カメラ本体ユニット２の外部を覆う複数の外装部材であって、カメラ本体上部を覆うための第一の外装部材である上メタルカバーユニット５と、カメラ本体背面ＬＣＤ表示部を覆うための第二の外装部材である後メタルカバー９と、カメラ本体左側を覆うための第二の外装部材である左メタルカバー１１と、カメラ本体右側を覆うための第二の外装部材である右メタルカバー１２と、カメラ本体底面部を覆うための第三の外装部材である下メタルカバー１３とを備えている。
【００１２】
なお、カメラ１において、図中、装着されるレンズ鏡筒の光軸を「Ｏ」で示し、光軸Ｏと平行な方向をＺ方向とし、被写体側を前方、結像側を後方（背面側）とする。また、光軸Ｏに直交する方向のうち、通常撮影姿勢における左右方向をＸ方向とし、上下方向をＹ方向とする。但し、左右は、前方側からカメラ１を見た側を示す。
【００１３】
カメラ本体ユニット２は、合成樹脂で形成された前本体３と後本体４とからなり、上面凸部２ｃの下方に設けられ、第一の表面を形成するＸＺ平面に沿った前方上面部３ｈおよび後方凹状平面部４ｉ（図７）と、上記第一の表面の延長面と交差する第二の表面を形成する左、右側面部２ａ，２ｂおよびカメラ背面のＬＣＤ保持枠部４ｆの表面と、さらに、上記第一の表面とで上記第二の表面を挟んで、上記第一の表面の法線が交わるＸＺ平面に沿った第三の表面を形成する底面部２ｄとを備えている。前本体３と後本体４とは、その内部に撮像部、電気制御部、ＬＣＤ表示部等のカメラ構成部材が収納された状態で４本のビス５１〜５４により一体結合される（図５〜１０）。
【００１４】
前本体３の前面部開口部３ａに交換式レンズ鏡筒が装着されるレンズマウント１５が撮像部を支持する撮像本体（図示せず）を介して光軸Ｏを中心にして固着されている。そして、前本体３の上面部には、レリーズスイッチ操作釦１６、モード設定スイッチ、さらに、フラッシュシュー１７等が配される。左側面部にはＵＢＳ接続端子、ＡＶ接続端子用開閉蓋３１が配される。左右の上方端部にハンドストラップ金具３３，３４が装着される。
【００１５】
なお、前本体３の前面部は、レンズマウント１５の中心（光軸Ｏ）に向けて僅かに前方に傾斜する左右傾斜平面３ｖ，３ｗを形成している。また、前本体３の前面部に装着されるレンズマウント１５は、左、右円周溝１５ａ，１５ｂを有しており、該左、右円周溝１５ａ，１５ｂそれぞれが前本体３の左右傾斜平面３ｖ，３ｗの延長面から所定の隙間をもって配されている（図７）。
【００１６】
後本体４の背面部の凸状ＬＣＤ保持枠部４ｆにはＬＣＤ表示部１９が固着して配され、その左方側（図６では右側）に操作スイッチ釦群が配されている。
【００１７】
上メタルカバーユニット５は、上メタルカバー６と、前飾板７および後飾板８とからなり、上記他の外装部材に先立ってカメラ本体ユニット２に固着される（図３，４，１１）。
【００１８】
後飾板８は、左右に延び、Ｌ字断面を有する金属製の部材であり、後本体４の凹状平面部４ｉに当接可能な段状下端面８ｇと、後メタルカバー９の上端面９ｎに当接可能な凹状の切り欠き面８ｉと、左、右メタルカバー１１，１２に当接可能なＸＺ平面に沿った下端面８ｅ，８ｆと、段状下端面８ｇ上に配される締結用穴としてのビス挿通穴８ｃ，８ｄとを備えている（図３，４）。
【００１９】
上メタルカバー６は、左右に延びる上方凸形状の金属製の部材であり、前側下端面６ｉと、下端面６ｉに対して上方に切り欠かれた背面側下端面６ｊと、上面部に配されるレリーズ釦挿入開口部６ｂと、フラッシュシューカバー装着開口部６ａと、背面に配される締結用穴としてのビス挿通穴６ｇ，６ｈと、下方に突出して配される舌状突起部に配される締結用穴としてのビス挿通穴６ｃ〜６ｆとを備えている。この上メタルカバー６には前飾板７が接着固定される（図３，４）。
【００２０】
前飾板７は、左右に延び、表面にクロムメッキが施された合成樹脂製の枠部材であって、前本体３の前方上面部３ｈに当接可能な下端面７ｉと、下端面７ｉの裏面側（上側）に沿って配される溝７ａと、レンズマウント１５の外周面上部に密着可能な凹状円弧面部７ｊと、アース接続用としてのビス挿通穴７ｅ，７ｇとを左右に備えている（図３，４）。
【００２１】
後メタルカバー９は、金属製の四角形状枠部材であり、後本体４の凸状ＬＣＤ保持枠部４ｆにＸＹ平面上に載置され、ＬＣＤ保持枠部４ｆの外周に対して上下に僅かな嵌合隙間のある状態で嵌入可能とする。そして、上、下、右端部から突出するアース接続片部が配されている（図３，４）。
【００２２】
左メタルカバー１１は、カメラ本体ユニット２の左側面２ａ、左傾斜前面部３ｖのＸＺ断面形状に合わせて折り曲げられた金属製の部材であり、前面部にはグリップ部１１ａが固着されている。
【００２３】
この左メタルカバー１１は、ＸＺ平面に沿った平行な上、下端面１１ｋ，１１ｍ、および、Ｙ方向に沿った直線状の背面側端面１１ｄを有し、さらに、前面側先端部にレンズマウント１５の左円周溝１５ａと係合可能な３つの突起部１１ｃを有する円弧状段差部１１ｂと、側面部に上下２つの締結用穴であるビス挿通穴１１ｅ，１１ｆと、下部に突出するアース接続片部１１ｇ，１１ｉとを備えている（図３，４）。
【００２４】
右メタルカバー１２は、カメラ本体ユニット２の右側面２ｂ、右傾斜前面部３ｗのＸＺ断面形状に合わせて折り曲げられた金属製の部材である。
【００２５】
この右メタルカバー１２は、ＸＺ平面に沿った平行な上、下端面１２ｋ，１２ｍ、および、Ｙ方向に沿った直線状の背面側端面１２ｄを有し、さらに、前面側先端部には、組み付け状態でレンズマウント１５の右円周溝１５ｂと係合可能な４つの突起部１２ｃを有する円弧状段差部１２ｂと、側面部に締結用穴であるビス挿通穴１２ｅと、下部に突出するアース接続片部１２ｇ，１２ｉとを備えている（図３，４）。
【００２６】
下メタルカバー１３は、左右に延びる略長方形の凹形状の金属製の部材であり、ＸＺ平面に沿った上端面１３ｃ、および、上端面１３ｃから下方に凹んだ切り欠き部１３ｂと、組み付け状態でレンズマウント１５の外径部と密着可能な凹状円弧面部１３ａと、底面部に締結用穴であるビス挿通穴１３ｄ〜１３ｊとを備えている（図３，４）。
【００２７】
次にカメラ本体ユニット２に対して上述した各外装部材を組み付ける手順にて、まず、上メタルカバーユニット５を組み付ける手順から説明する。
【００２８】
上メタルカバーユニット５において、後飾板８は、上メタルカバー６および前飾板７よりも先にカメラ本体ユニット２の上部背面側に取り付けられる。そして、後飾板８の取り付け時に後メタルカバー９のアース接続片部９ａ，９ｃ，９ｅを後本体４に対して後飾板８、上メタルカバー６と共締めにより装着する必要がある。
【００２９】
すなわち、後飾板８をカメラ本体ユニット２に固着する場合、まず、後メタルカバー９を後本体４のＬＣＤ保持枠部４ｆに後メタルカバー９を被せ、アース接続片部９ａ，９ｃ，９ｅを後本体４の後方上平面部４ｊに配されている凹面部４ｃ，４ｄ，４ｅに載せる。続いて、後飾板８の左右に延びる平面部に配される僅かな段差を持つ段状下端面８ｇを後本体４の後方上平面部４ｊの前側の僅かに凹む凹状平面部４ｉに当接させて載置する。その状態では、後メタルカバー９のアース接続片部９ａ，９ｃ，９ｅの上面側に段状下端面部８ｇが位置する。上記載置状態にて、ビス３６，３７を段状下端面部８ｇに配されるビス挿通穴８ｃ，８ｄに、さらに、アース接続片部９ａのビス挿通穴９ｂ，アース接続片部９ｅのビス挿通穴９ｆにそれぞれ挿通させ、後本体４の凹面部４ｃ，４ｅ上のネジ穴４ｇ，４ｈに螺着し、固定する（図３，４，７）。但し、図７においては、操作部材、その他の部材を除いて示している。
【００３０】
上記固定状態で後飾板８は、段状下端面部８ｇが後本体４の凹状平面部４ｉに密着し、後飾板８の下面（カメラ本体側の面）が後本体４の後方上平面部４ｊに対して僅かな隙間をもって保持される。従って、後飾板８はカメラ本体２に対してその上面が変形することなく正しく装着固定される（図１１，１７）。
【００３１】
なお、後メタルカバー９のアース接続片部９ａ，９ｃ，９ｅ，９ｇは、剛性が低く、上述のように該アース接続片部がビスにより共締め状態で固定されたとしても後メタルカバー９自体は、ＸＹ平面上、完全には固定されず、ＬＣＤ保持枠部４ｆに対する隙間分は微少変位可能である。
【００３２】
前飾板７は、上メタルカバー６の前方下端面６ｉを前飾板７の溝７ａに挿入し、当て付けた状態で前飾板７と上メタルカバー６とを接着固定して一体化される（図３、４）。
【００３３】
上記前飾板７と上メタルカバー６との上述した一体化状態では、上メタルカバー６のビス挿通穴６ｃ，６ｄ，６ｅ，６ｆが設けられた舌状凸部が前飾板７の貫通穴７ｃ，７ｄ，７ｆ，７ｈを貫通して前飾板７の下端面７ｉから下方に突出した状態になっている。また、前飾板７には貫通穴７ｆ，７ｈに沿って下方に突出するビス挿通穴７ｅ，７ｇが設けられる舌状凸部が配されており、上記接着固定状態では、上メタルカバー６の上記舌状凸部と前飾板７の上記舌状凸部とが重なり、共締め可能な状態になる。
【００３４】
前飾板７が接着固定された上メタルカバー６を上述した後飾板８が装着済みのカメラ本体ユニット２の上面凸部２ｃに嵌入させ、前飾板７の下端面７ｉを前本体３の前方上面部３ｈに当て付け、同時に上メタルカバー６の背面側下端面６ｊを後飾板８の段状下端面部８ｇの上面部８ｈに当て付ける（図１１〜１３，１７）。該当て付け状態にて、ビス４５，４６を上メタルカバー６から前飾板７を貫通して突出しているビス挿通穴６ｃ，６ｄに挿通させ、前本体３の前面上部に配されるネジ穴３ｂ，３ｃに螺着し、固定する（図３，１６）。但し、ビス４５，４６は、アース接続用接片２１，２２のビス挿通穴も同時に挿通させ、共締め状態で固定支持する。
【００３５】
また、ビス４３，４４を上メタルカバー６の左右側面部のビス挿通穴６ｅ，６ｆおよび前飾板７のビス挿通穴７ｅ，７ｇ、さらに、後メタルカバー９のアース接続片部９ｇのビス挿通穴９ｉにそれぞれ挿通させ、前本体３の左右側面上方部に配されるネジ穴３ｊ，３ｐに螺着し、それぞれ共締め状態で固定する（図３〜６，１６，１７）。なお、前本体３のネジ穴３ｊの表面上にはカメラ制御回路部（図示せず）のアースラインに接続されるアース接続板２０が固定配置されている（図９）。従って、ビス４３の螺着により上メタルカバーユニット５は、上記カメラ制御回路部のアースラインに対して接続状態となる。
【００３６】
またさらに、上記当て付け状態でビス４１，４２を上メタルカバー６の背面側のビス挿通穴６ｇ，６ｈに挿通させ、後本体４の背面上部に配されるネジ穴４ａ，４ｂに螺着し、固定する。但し、ビス４２は、後メタルカバー９のアース接続片部９ｃのビス挿通穴９ｄも挿通しており、アース接続片部９ｃが共締め状態で固定される（図３〜６，１６）。
【００３７】
なお、ビス挿通穴６ｃ，６ｄ，６ｅ，６ｆ，６ｇ，６ｈは、上述した前飾板７と前本体３との密着状態、さらに、上メタルカバー６と後飾板８との密着状態を許容するため、各ビスに対して少なくともＹ方向に遊嵌寸法を有している。
【００３８】
上述のようにカメラ本体２へ前飾板７と上メタルカバー６および後飾板８が取り付けられた固定状態においては、上メタルカバー６の内部下面が前本体３の上面部３ｉや後本体４の上面部４ｖに対して僅かな隙間をもって配されている。従って、上メタルカバー６を大きく変形させることなく、前飾板７の下端面７ｉが前本体３の前方上面部３ｈに対して密着する状態が得られ、さらに、上メタルカバー６の背面側下端面６ｊを後飾板８の段状下端面８ｇの上面部８ｈに密着する状態が得られる（図１７）。
【００３９】
なお、上述の固定状態において、前飾板７の凹状円弧面部７ｊは、レンズマウント１５の外周面上部に隙間なく位置決めされる。また、前飾板７の下端面７ｉと後飾板８の下端面８ｅおよび８ｆとは、同一ＸＺ平面上に段差が生じることなく位置する。
【００４０】
その後、フラッシュシュー１７およびシューカバー１８を上メタルカバー６の開口部６ａに装着し、共締め状態で固定する。
【００４１】
上述したように上メタルカバー６，前飾板７，後飾板８からなる上メタルカバーユニット５は、前飾板７の下端面７ｉや上メタルカバー６の背面側下端面６ｊの隙間が生じない状態でカメラ本体ユニット２の上面凸部２ｃに組み付けることができる。また、上メタルカバー６，前飾板７，後飾板８、さらに、後メタルカバー９は、互いにアース接続された状態に保たれる。
【００４２】
続いて、上メタルカバーユニット５が装着された状態のカメラ本体ユニット２の左、右側面部２ａ，２ｂに左メタルカバー１１および右メタルカバー１２を取り付ける（図１１）。
【００４３】
左メタルカバー１１をカメラ本体ユニット２の左側面部２ａ側から挿入し、背面側端面１１ｄを後本体４のＹ方向に沿った溝４ｎ（図９）に嵌入させる。同時に左メタルカバー１１の前面側を前本体３の前面部の左傾斜平面３ｖに沿って挿入し、円弧状段差部１１ｂおよび該段差部内周に配される３つの係合突起部１１ｃをレンズマウント１５の左円周溝１５ａに嵌入、係合させる。
【００４４】
上述のように左メタルカバー１１をカメラ本体ユニット２の左方側に挿入してビス４７，４８をビス挿通穴１１ｅ，１１ｆに挿通させ、前本体３のネジ穴３ｋ，３ｍに螺合させる。そのとき、左メタルカバー１１を上方に押圧して、上端面１１ｋを前飾板７の下端面７ｉおよび後飾板８の下端面８ｅに当て付けた状態に保って、ビス４７，４８を締め込み、固定する（図１１，１４，１５）。
【００４５】
なお、ビス挿通穴１１ｅ，１１ｆは、ビス４７，４８に対して上端面１１ｋと下端面７ｉ，８ｅとの当接を許容する少なくともＹ方向の遊嵌寸法を有している。
【００４６】
また、左メタルカバー１１のビス挿通穴１１ｅ，１１ｆは、ビス頭の厚みに相当する分だけ内側に突出したそれぞれのエンボス凸部に設けられている。一方、前本体３のネジ穴３ｋ，３ｍは、前本体３の各凹面部に設けられており、上記各エンボス凸部が前本体３の上記各凹面部に当接した状態で左メタルカバー１１の内面は、左側面部２ａに当接するか、僅かな隙間のある状態で保持される。
【００４７】
さらに、左メタルカバー１１をカメラ本体ユニット２の左側から挿入した状態では、左メタルカバー１１の裏面上部が前本体３の前面に配されるアース接続用接片２１に圧接し、左メタルカバー１１と上メタルカバーユニット５側とがアース接続された状態に保持される。また、ビス４７，４８の螺着によって前本体３のネジ穴３ｋ，３ｍの配設面上に配されるアース接続板２０（図９）を介して左メタルカバー１１が上記カメラ制御回路部のアースラインに接続される。
【００４８】
右メタルカバー１２をカメラ本体ユニット２の右側面部２ｂ側から挿入し、背面側端面１２ｄを後メタルカバー９の切り欠き９ｑ（図１３）に挿通し、後本体４のＹ方向に沿った溝４ｐ（図１０）に嵌入させる。同時に右メタルカバー１２の前面側を前本体３の前面部の右傾斜平面３ｗに沿って挿入し、円弧状段差部１２ｂおよび該段差部の内周に配される４つの係合突起部１２ｃをレンズマウント１５の右円周溝１５ｂに嵌入、係合させる。
【００４９】
上述のように右メタルカバー１２をカメラ本体ユニット２の右方側に挿入し、ビス４９をビス挿通穴１２ｅ、さらに、後メタルカバー９のアース接続片部９ｇのビス挿通穴９ｈに挿通させて前本体３のネジ穴３ｑに螺合させる。そのとき、右メタルカバー１２を上方に押圧して、上端面１２ｋを前飾板７の下端面７ｉおよび後飾板８の下端面８ｆに当て付けた状態に保って、ビス４９を締め込み、固定する（図１１，１４，１５）。
【００５０】
なお、ビス挿通穴１２ｅは、ビス４９に対して上端面１２ｋと下端面７ｉ，８ｆとの当接を許容する少なくともＹ方向の遊嵌寸法を有している。
【００５１】
また、右メタルカバー１２のビス挿通穴１２ｅは、ビス頭の厚みに相当する分だけ内側に突出したエンボス凸部に設けられている。前本体３のネジ穴３ｑは、前本体３の凹面部に設けられており、上記エンボス凸部が前本体３の上記凹面部に当接した状態で右メタルカバー１２の内面は、右側面部２ｂに当接するか、僅かな隙間のある状態で保持される。
【００５２】
さらに、右メタルカバー１２をカメラ本体ユニット２の右側から挿入した状態では、左メタルカバー１２の裏面上部が前本体３の前面に配されるアース接続用接片２２に圧接し、右メタルカバー１２と上メタルカバーユニット５側とがアース接続された状態に保持される。
【００５３】
上述のようにカメラ本体ユニット２の両側面に左メタルカバー１１および右メタルカバー１２を装着し、固定した状態においては、上メタルカバーユニット５の下端面７ｉ，８ｅ，８ｆと左メタルカバー１１の上端面１１ｋおよび右メタルカバー１２の上端面１２ｋとは、それぞれが隙間のない当て付け状態になっており、左メタルカバー１１および右メタルカバー１２の前面部は、レンズマウント１５に対してガタつきのない状態に保持され、さらに、左メタルカバー１１の下端面１１ｍと右メタルカバー１２の下端面１２ｍとは、同一ＸＺ平面上に位置している（図１４，１５）。また、左メタルカバー１１および右メタルカバー１２は、上メタルカバーユニット５に対して確実にアース接続された状態に保持される。
【００５４】
左メタルカバー１１および右メタルカバー１２の装着後、後メタルカバー９を上方に押圧して上端面９ｎを後飾板８の切り欠き面８ｉに当て付けた状態に保持する。その保持状態で後メタルカバー９を予めその内部に塗布されている接着により後本体４のＬＣＤ保持枠部４ｆに対して接着固定する。但し、この後メタルカバー９の接着固定は、後述するように下メタルカバー１３の装着固定後に行ってもよい。
【００５５】
続いて、上メタルカバーユニット５と後メタルカバー９および左、右メタルカバー１１，１２が装着済みのカメラ本体ユニット２の底面部２ｄに下メタルカバー１３が装着、固定される（図１，２，１４，１５）。
【００５６】
すなわち、上記各カバー装着済みカメラ本体ユニット２の底面部２ｄに下メタルカバー１３を嵌め込み、上端面１３ｃを左、右メタルカバー１１，１２の下端面１１ｍ，１２ｍに当て付け、同時に切り欠き部１３ｂを後メタルカバー９の下端面９ｐに当て付ける。その当て付け状態でビス５１〜５７をビス挿通穴１３ｄ〜１３ｊに挿通し、カメラ本体ユニット２のネジ穴３ｔ，４ｔ，４ｓ，３ｓ，４ｑ，３ｒ，３ｎに螺合させる。
【００５７】
なお、下メタルカバー１３のビス挿通穴１３ｄ〜１３ｊは、ビス頭の厚みに相当する分だけ上方（内側）に突出した各エンボス凸部に設けられている。一方、前、後本体３，４のネジ穴３ｔ，４ｔ，４ｓ，３ｓ，４ｑ，３ｒ，３ｎは、それぞれが各凹面部に設けられている。下メタルカバー１３をカメラ本体ユニット２の底面部２ｄに嵌め込み、上端面１３ｃを左、右メタルカバー１１，１２の下端面１１ｍ，１２ｍに単に当接させた状態では、下メタルカバー１３の上記各エンボス凸部と前、後本体３，４の上記各凹面部とは僅かな隙間のある状態である。
【００５８】
また、ビス５１〜５７のうち、ビス５１，５４，５５，５６，５７は、上述した下メタルカバー１３の各ビス挿通穴１３ｄ，１３ｇ，１３ｈ，１３ｉ，１３ｊを挿通し、さらに、左メタルカバー１１，後メタルカバー９，右メタルカバー１２の各アース接続片部１１ｇ，１１ｉ，９ｊ，１２ｇ，１２ｉのビス挿通穴１１ｈ，１１ｊ，９ｋ，１２ｊ，１２ｈを挿通して螺着する。すなわち、共締め状態とする（図４，１５）。後メタルカバー９や左、右メタルカバー１１，１２の上記ビス挿通穴が設けられているアース接続片部９ｊ，１１ｇ，１１ｉ，１２ｇ，１２ｉが薄板部材で形成されているので、上記共締めによる後メタルカバー９や左、右メタルカバー１１，１２の固定位置に対する影響はない。
【００５９】
そこで、ビス５１〜５７を締め込み、締結固定する。その締め込みにより下メタルカバー１３の底面部が外観上、見栄えを落とすことなく僅かに変形し、上端面１３ｃが左、右メタルカバー１１，１２の下端面１１ｍ，１２ｍに隙間なく当接する。同時に切り欠き部１３ｂも後メタルカバー９の下端面９ｐに隙間なく当接する。
【００６０】
なお、上記締め込み固定状態において、前本体３の底面部３ｕ，後本体４の底面部４ｕと下メタルカバー１３の内面（上面部）とは僅かな隙間を残しており、下メタルカバー１３の上端面１３ｃ，切り欠き部１３ｂと下端面１１ｍ，１２ｍ，９ｐと確実に密着する状態が得られる。また、下メタルカバー１３の凹状円弧面部１３ａもレンズマウント１５の外周部に隙間なく位置する。そして、下メタルカバー１３は、左、右メタルカバー１１，１２および後メタルカバー９に対してアース接続された状態となる。
【００６１】
後メタルカバー９が未だ後本体４のＬＣＤ保持枠部４ｆに接着固定されていない場合には、上記ビス５１〜５７の締め込みによって後メタルカバー９の上端面９ｎが後飾板８の切り欠き面８ｉに、さらに、下メタルカバー１３の切り欠き部１３ｂが後メタルカバー９の下端面９ｐにそれぞれ隙間なく当接する。上記ビス５１〜５７の締め込み後、塗布済みの接着剤を固形化させ、後メタルカバー９を固定状態とする。
【００６２】
上述した本実施形態のカメラ１の外装構造では、カメラ本体ユニット２に対して各外装部材を上方側から順次、接合隙間を取り除きながら締結固定することができる。すなわち、上方側に上メタルカバーユニット５が装着されたカメラ本体ユニット２に左、右メタルカバー１１，１２を固着するとき、上メタルカバーユニット５との接合隙間がないように当て付けてビスにより締結固定する。さらに、下メタルカバー１３をカメラ本体ユニット２の底面部２ｄにビスにより締結するときのビス締め付けより左、右メタルカバー１１，１２との接合隙間のない状態として固定することができる。また、後メタルカバー９は、カメラ本体ユニット２に接着固定するとき、上メタルカバーユニット５との接合隙間のない状態で接着するか、あるいは、下メタルカバー１３をカメラ本体ユニット２の底面部２ｄにビスにより締結するときのビス締め付けより接合隙間のない状態として固定することができる。
【００６３】
上述のように本実施形態のカメラ１の外装構造によれば、カメラ本体ユニット２に対して各外装部材を接合隙間を取り除きながら締結固定することができ、見栄えのよい外装を得ることができる。
【００６４】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００６５】
本発明による機器の外装構造は、内部に構造物を有する機器の外装を構成する外装構造において、外装部材間の隙間が生じることなく組み付けることが可能であって、外観上の見栄えもよい機器の外装構造として利用可能である。
【符号の説明】
【００６６】
２  …カメラ本体ユニット（機器内部本体）
２ａ…カメラ本体ユニットの左側面部（第二の表面）
２ｂ…カメラ本体ユニットの右側面部（第二の表面）
２ｄ…カメラ本体ユニットの底面部（第三の表面）
３  …前本体（機器内部本体）
３ｈ…前方上面部（第一の表面）
４  …後本体（機器内部本体）
４ｆ…後本体のＬＣＤ保持枠部（第二の表面）
４ｉ…凹状平面部（第一の表面）
５  …上メタルカバーユニット（第一の外装部材）
６  …上メタルカバー（第一の外装部材）
７  …前飾板（第一の外装部材）
８  …後飾板（第一の外装部材）
９  …後メタルカバー（第二の外装部材）
１１…左メタルカバー（第二の外装部材）
１１ｅ，１１ｆ，１２ｅ
…ビス挿通穴（締結用穴）
１２…右メタルカバー（第二の外装部材）
１３…下メタルカバー（第三の外装部材）
【図１】
2010286723.tif 000003
【図２】
2010286723.tif 000004
【図３】
2010286723.tif 000005
【図４】
2010286723.tif 000006
【図５】
2010286723.tif 000007
【図６】
2010286723.tif 000008
【図７】
2010286723.tif 000009
【図８】
2010286723.tif 000010
【図９】
2010286723.tif 000011
【図１０】
2010286723.tif 000012
【図１１】
2010286723.tif 000013
【図１２】
2010286723.tif 000014
【図１３】
2010286723.tif 000015
【図１４】
2010286723.tif 000016
【図１５】
2010286723.tif 000017
【図１６】
2010286723.tif 000018
【図１７】
2010286723.tif 000019
【図１８】
2010286723.tif 000020
【図１９】
2010286723.tif 000021